【手続補正書】
【提出日】平成16年3月3日(2004.3.3)
【手続補正１】
【補正対象書類名】明細書
【補正対象項目名】発明の名称
【補正方法】変更
【補正の内容】
【発明の名称】画像処理装置及びその補正方法


【手続補正２】
【補正対象書類名】明細書
【補正対象項目名】特許請求の範囲
【補正方法】変更
【補正の内容】
【特許請求の範囲】
【請求項１】
それぞれが複数の画素を含む複数の領域からなるイメージセンサと、
前記イメージセンサの複数の領域からの信号を補正する補正手段とを有し、
前記補正手段は、前記領域数よりも少ない複数の補正データを持ち、前記イメージセンサの各領域に対して前記複数の補正データのいずれかを選択的に用いて補正を行うことを特徴とする画像処理装置。
【請求項２】
前記イメージセンサの複数の領域の特性を検出するための少なくとも一つの濃度基準板を更に有し、前記補正手段は、前記イメージセンサが前記濃度基準板を読み取った信号に基づき、前記複数の補正データの中から前記イメージセンサの各領域用に補正データを設定する設定手段を有することを特徴とする請求項１に記載の画像処理装置。
【請求項３】
前記濃度基準板は、中間調グレー基準エリアを有することを特徴とする請求項２に記載の画像処理装置。
【請求項４】
それぞれが複数の画素を含む複数の領域からなるイメージセンサと、
前記イメージセンサの複数の領域からの信号を補正する補正手段と、
白色基準エリアと中間調グレー基準エリアとを有する濃度基準板とを有し、
前記補正手段は、前記領域数よりも少ない複数の補正データを持ち、前記イメージセンサが前記白色基準エリアを読み取った信号に基づいてシェーディング補正を行う第１の補正と、前記イメージセンサが前記中間調グレー基準エリアを読み取った信号に基づいて、前記イメージセンサの各領域に対して前記補正データを選択的に用いて補正を行う第２の補正とを行うことを特徴とする画像処理装置。
【請求項５】
前記補正手段は、前記第１の補正後に前記第２の補正を行うことを特徴とする請求項４に記載の画像処理装置。
【請求項６】
前記補正手段は、前記イメージセンサの複数の領域からの信号に対して、共通の前記補正データを用いることを特徴とする請求項１乃至５のいずれか１項に記載の画像処理装置。
【請求項７】
被写体を照射する光源と、前記被写体からの光を前記イメージセンサの複数の領域に結像するレンズとを有することを特徴とする請求項１乃至６のいずれか１項に記載の画像処理装置。
【請求項８】
前記イメージセンサの各領域は、センサチップにより構成されることを特徴とする請求項１乃至７のいずれかに記載の画像処理装置。
【請求項９】
前記イメージセンサの複数領域からの信号は、それぞれ異なる出力系を介して出力されることを特徴とする請求項１乃至７のいずれかに記載の画像処理装置。
【請求項１０】
前記複数の補正データは、各センサチップが前記中間調グレー基準エリアを読み取った信号が、ほぼ所定値を示す場合の補正データと、前記所定値よりも大きい場合の補正データと、前記所定値よりも小さい場合の補正データとを含むことを特徴とする請求項３又は４のいずれかに記載の画像処理装置。
【請求項１１】
それぞれが複数の画素を含む複数の領域からなるイメージセンサから得られる画像データを補正する補正方法であって、前記領域数よりも少ない複数の補正データのいずれかを選択的に用いて前記イメージセンサの各領域に対して補正を行うことを特徴とする補正方法。
【請求項１２】
前記イメージセンサが少なくとも一つの濃度基準板を読み取った信号に基づいて前記イメージセンサの複数の領域の特性を検出し、前記複数の補正データの中から前記イメージセンサの各領域用に補正データを設定することを特徴とする請求項１１に記載の補正方法。
【請求項１３】
前記濃度基準板は、中間調グレー基準エリアを有することを特徴とする請求項１２に記載の補正方法。
【請求項１４】
それぞれが複数の画素を含む複数の領域からなるイメージセンサから得られる画像データを補正する補正方法であって、
前記イメージセンサが白色基準エリアと中間調グレー基準エリアとを有する濃度基準板の白色基準エリアを読み取った信号に基づいてシェーディング補正を行う第１の補正と、
前記イメージセンサが前記中間調グレー基準エリアを読み取った信号に基づいて、前記イメージセンサの各領域に対して前記領域数よりも少ない複数の補正データを選択的に用いて補正を行う第２の補正とを行うことを特徴とする補正方法。
【請求項１５】
前記第１の補正後に前記第２の補正を行うことを特徴とする請求項１４に記載の補正方法。
【請求項１６】
前記イメージセンサの複数の領域からの信号に対して、共通の前記補正データを用いることを特徴とする請求項１１乃至１５のいずれか１項に記載の補正方法。
【請求項１７】
前記イメージセンサの各領域は、センサチップにより構成されることを特徴とする請求項１１乃至１６のいずれかに記載の補正方法。
【請求項１８】
前記複数の補正データは、各センサチップが前記中間調グレー基準エリアを読み取った信号が、ほぼ所定値を示す場合の補正データと、前記所定値よりも大きい場合の補正データと、前記所定値よりも小さい場合の補正データとを含むことを特徴とする請求項１３又は１４のいずれかに記載の補正方法。
【手続補正３】
【補正対象書類名】明細書
【補正対象項目名】０００１
【補正方法】変更
【補正の内容】
【０００１】
【発明の属する技術分野】
それぞれが複数の画素を有する複数のセンサチップを用いた画像処理装置及びその補正方法に関する。


【手続補正４】
【補正対象書類名】明細書
【補正対象項目名】０００４
【補正方法】変更
【補正の内容】
【０００４】
【課題を解決するための手段】
本発明は、上記課題を解決するためになされたものであり、請求項１に記載の画像処理装置は、それぞれが複数の画素を含む複数の領域からなるイメージセンサと、前記イメージセンサの複数の領域からの信号を補正する補正手段とを有し、前記補正手段は、前記領域数よりも少ない複数の補正データを持ち、前記イメージセンサの各領域に対して前記複数の補正データのいずれかを選択的に用いて補正を行うことを特徴とする。
請求項４に記載の画像処理装置は、それぞれが複数の画素を含む複数の領域からなるイメージセンサと、前記イメージセンサの複数の領域からの信号を補正する補正手段と、白色基準エリアと中間調グレー基準エリアとを有する濃度基準板とを有し、前記補正手段は、前記領域数よりも少ない複数の補正データを持ち、前記イメージセンサが前記白色基準エリアを読み取った信号に基づいてシェーディング補正を行う第１の補正と、前記イメージセンサが前記中間調グレー基準エリアを読み取った信号に基づいて、前記イメージセンサの各領域に対して前記補正データを選択的に用いて補正を行う第２の補正とを行うことを特徴とする。
請求項１１に記載の補正方法は、それぞれが複数の画素を含む複数の領域からなるイメージセンサから得られる画像データを補正する補正方法であって、前記領域数よりも少ない複数の補正データのいずれかを選択的に用いて前記イメージセンサの各領域に対して補正を行うことを特徴とする。
請求項１４に記載の補正方法は、それぞれが複数の画素を含む複数の領域からなるイメージセンサから得られる画像データを補正する補正方法であって、前記イメージセンサが白色基準エリアと中間調グレー基準エリアとを有する濃度基準板の白色基準エリアを読み取った信号に基づいてシェーディング補正を行う第１の補正と、前記イメージセンサが前記中間調グレー基準エリアを読み取った信号に基づいて、前記イメージセンサの各領域に対して前記領域数よりも少ない複数の補正データを選択的に用いて補正を行う第２の補正とを行うことを特徴とする。